(57)【要約】  【課題】  現在リジューム状態であるかどうかを明確にすると共に、リジューム再生する際に、間違って再生キー以外のキーを操作してしまった場合でも、現在のリジューム状態が無くなることを防止できる機能を有する光ディスク再生装置を提供する。  【解決手段】  再生中に停止キーが押下されると、リジューム機能がオンされ、リジュームオン表示がディスプレイ装置に表示される。所定時間経過してリジュームオン表示が消えた時は、リジューム用発光素子が点灯される。この後、再生キーが押下されれば、リジューム再生が開始されるが、間違って再生キー以外のキーが押下されると、現在リジューム中であることがディスプレイ装置に警告表示されると共に、その押下回数が１回目であれば、そのキー押下が無視される。【選択図】      図３
2006318596.tif 000002
【特許請求の範囲】
【請求項１】
光ディスクの情報を再生中に停止させ、再び再生させた時に、その停止位置から再生を
開始させるリジューム機能を有する光ディスク再生装置において、光ディスクの情報を再
生中に停止キーが押下されたか否かを検出する停止キー押下検出手段と、前記停止キーが
押下されたことを前記停止キー押下検出手段により検出された時にリジューム機能をオン
させるリジューム機能オン手段と、前記リジューム機能がオンされた時にリジューム機能
オンを示すリジュームオン表示をディスプレイ装置に表示させるリジュームオン表示手段
と、前記リジュームオン表示が所定時間経過して消えたか否かを判定するリジュームオン
表示判定手段と、前記リジュームオン表示が消えたということが前記リジュームオン表示
判定手段により判定された時にリジューム用発光素子を発光駆動させる発光素子駆動手段
と、前記リジュームオン表示されている時あるいは前記リジューム用発光素子が発光駆動
されている時に再生キー以外のキーを押下すると、そのキーの押下は１回目であるか２回
目以上であるかを判定するキー押下回数判定手段と、前記キーの押下回数が１回目であれ
ば、リジューム中であることをディスプレイ装置に警告表示させると共に１回目のキー押
下を無視するキー操作無視手段と、再生キー以外のキーの押下回数が２回目以上であれば
、押下されたキーの通常動作を行わせる通常キー動作手段と有し、前記リジューム用発光
素子として、装置の電源オン／オフ表示用発光素子を用いた場合は、電源がオン時には前
記電源オン／オフ表示用発光素子を電源オン時の発光色で点滅駆動させ、電源がオフ時に
は前記電源オン／オフ表示用発光素子を電源オフ時の発光色で点滅駆動させる発光素子点
滅駆動手段を前記発光素子駆動手段の代わりに有するシステムコントローラを備えたこと
を特徴とする光ディスク再生装置。
【請求項２】
光ディスクの情報を再生中に停止させ、再び再生させた時に、その停止位置から再生を
開始させるリジューム機能を有する光ディスク再生装置において、リジューム機能をオン
させた時、前記リジューム機能オンを示すリジュームオン表示をディスプレイ装置に表示
させ、前記リジュームオン表示が所定時間経過して消えた時にリジューム用発光素子を発
光駆動させ、前記リジュームオン表示されている時あるいは前記リジューム用発光素子が
発光駆動されている時に、再生キー以外のキーの押下が１回目であれば、１回目のキー押
下を無視する制御を行うシステムコントローラを備えたことを特徴とする光ディスク再生
装置。
【請求項３】
前記システムコントローラは、光ディスクの情報を再生中に停止キーが押下されたか否
かを検出する停止キー押下検出手段と、前記停止キーが押下されたことを前記停止キー押
下検出手段により検出された時にリジューム機能をオンさせるリジューム機能オン手段と
、前記リジューム機能がオンされた時にリジューム機能オンを示すリジュームオン表示を
ディスプレイ装置に表示させるリジュームオン表示手段と、前記リジュームオン表示が所
定時間経過して消えたか否かを判定するリジュームオン表示判定手段と、前記リジューム
オン表示が消えたということが前記リジュームオン表示判定手段により判定された時にリ
ジューム用発光素子を発光駆動させる発光素子駆動手段と、前記リジュームオン表示され
ている時あるいは前記リジューム用発光素子が発光駆動されている時に再生キー以外のキ
ーを押下すると、そのキーの押下は１回目であるか２回目以上であるかを判定するキー押
下回数判定手段と、前記キーの押下回数が１回目であれば、リジューム中であることをデ
ィスプレイ装置に警告表示させると共に１回目のキー押下を無視するキー操作無視手段と
、再生キー以外のキーの押下回数が２回目以上であれば、押下されたキーの通常動作を行
わせる通常キー動作手段と有することを特徴とする請求項２に記載の光ディスク再生装置
。
【請求項４】
前記システムコントローラは、前記リジューム用発光素子として、装置の電源オン／オ
フ表示用発光素子を用いた場合は、電源がオン時には前記電源オン／オフ表示用発光素子
を電源オン時の発光色で点滅駆動させ、電源がオフ時には前記電源オン／オフ表示用発光
素子を電源オフ時の発光色で点滅駆動させる発光素子点滅駆動手段を前記発光素子駆動手
段の代わりに有することを特徴とする請求項３に記載の光ディスク再生装置。
【発明の詳細な説明】
【技術分野】
【０００１】
本発明は、光ディスクの情報を再生中に停止させ、再び再生させた時に、その停止位置
から再生を開始させるリジューム機能を有するＤＶＤ（デジタル・バーサタイル・ディス
ク）プレーヤなどの光ディスク再生装置に関する。
【背景技術】
【０００２】
従来から、光ディスク再生装置では、光ディスクの情報を再生中に停止キーを押下する
と、再生が停止し、この後、再生キーを押下すると、その停止位置から再生が再開される
、所謂リジューム機能が備えられている。
【０００３】
詳しくは、従来の光ディスク再生装置では、光ディスクが挿入された後、例えばリモコ
ンの再生キーが押下されると、光ディスクに記録された情報の再生が開始される。ここで
、再生中に、例えばリモコンの停止キーが押下されると、リジューム機能がオンされ、リ
ジューム機能がオンされていることを示すリジュームオン表示がディスプレイ装置に表示
される。そして、前記リジュームオン表示がされてから所定時間経過すると、リジューム
オン表示が消え、この後、更に、所定時間経過すると省電力化を図るため、装置の電源が
オフされる。
【特許文献１】特開２００４−１６４８０４号公報
【特許文献２】特開昭６０−５０７８４号公報
【発明の開示】
【発明が解決しようとする課題】
【０００４】
ところで、リジュームオン表示が消えるまでに、リジューム再生を行う場合は、リジュ
ームオン表示がディスプレイ装置に表示されているので、ユーザ（リジューム停止させた
当ユーザまたは別のユーザや他人）は、この光ディスク再生装置の現在のモードがリジュ
ーム停止していることが分り、リモコンなどの再生キーを押下すれば、リジューム再生が
開始されることが分る。
【０００５】
しかしながら、リジュームオン表示が消えている場合や、所定時間経過して電源がオフ
されている場合は、光ディスク再生装置の現在のモードは、何であるかが分らなくなるこ
とがある。例えば、光ディスク再生装置において光ディスクを再生中に、停止させ、リジ
ューム状態のまま放置した場合、この再生停止させたユーザが、時間経過によって、この
光ディスク再生装置がリジューム停止されていることを忘れたり、別のユーザや他人が、
この光ディスク再生装置を使用しようとした場合に、この光ディスク再生装置の現在モー
ドが何であるかが分らなくなる。
【０００６】
このように、現在モードが分らない状態で、光ディスク再生装置を操作すると、例えば
、再生キーを押下すれば、リジューム再生ができるが、その他のキー（例えば、停止キー
やメニューキーなど）を押下すると、リジューム状態は消去され、この押下したキーに対
応する動作が行われることになり、当ユーザにとっては、使い勝手が悪いという課題が生
じる。
【０００７】
なお、特許文献１の従来技術では、再生中に停止ボタンを押すと、リジュームストップ
モードに移行し、メカ動作はストップ処理を行い、このストップ処理実行中は、２回目の
停止ボタンの操作は受け付けず、操作無効表示を行っているが、リジューム停止に入った
時に表示されるリジュームストップ表示（リジュームオン表示）が所定時間後に消えた場
合の処理については開示されていない。
【０００８】
特許文献２の従来技術は、デジタル・オーディオ・ディスク・プレーヤに関するもので
あり、ＤＶＤプレーヤなどの光ディスク再生装置のように、再生画像やリジュームオン表
示などがディスプレイ装置に表示されるものではない。
【０００９】
本発明は、上記のような課題を解決するためになされたもので、現在リジューム状態で
あるかどうかを明確にすると共に、リジューム再生する際に当ユーザが間違って再生キー
以外のキーを操作してしまったり、当ユーザ以外の別のユーザや他人が勝手に再生キー以
外のキーを操作してしまったりした場合でも、現在のリジューム状態が無くなることを防
止できる機能を有する光ディスク再生装置を提供することを目的とする。
【課題を解決するための手段】
【００１０】
上記目的を達成するために、請求項１の発明は、光ディスクの情報を再生中に停止させ
、再び再生させた時に、その停止位置から再生を開始させるリジューム機能を有する光デ
ィスク再生装置において、光ディスクの情報を再生中に停止キーが押下されたか否かを検
出する停止キー押下検出手段と、前記停止キーが押下されたことを前記停止キー押下検出
手段により検出された時にリジューム機能をオンさせるリジューム機能オン手段と、前記
リジューム機能がオンされた時にリジューム機能オンを示すリジュームオン表示をディス
プレイ装置に表示させるリジュームオン表示手段と、前記リジュームオン表示が所定時間
経過して消えたか否かを判定するリジュームオン表示判定手段と、前記リジュームオン表
示が消えたということが前記リジュームオン表示判定手段により判定された時にリジュー
ム用発光素子を発光駆動させる発光素子駆動手段と、前記リジュームオン表示されている
時あるいは前記リジューム用発光素子が発光駆動されている時に再生キー以外のキーを押
下すると、そのキーの押下は１回目であるか２回目以上であるかを判定するキー押下回数
判定手段と、前記キーの押下回数が１回目であれば、リジューム中であることをディスプ
レイ装置に警告表示させると共に１回目のキー押下を無視するキー操作無視手段と、再生
キー以外のキーの押下回数が２回目以上であれば、押下されたキーの通常動作を行わせる
通常キー動作手段と有し、前記リジューム用発光素子として、装置の電源オン／オフ表示
用発光素子を用いた場合は、電源がオン時には前記電源オン／オフ表示用発光素子を電源
オン時の発光色で点滅駆動させ、電源がオフ時には前記電源オン／オフ表示用発光素子を
電源オフ時の発光色で点滅駆動させる発光素子点滅駆動手段を前記発光素子駆動手段の代
わりに有するシステムコントローラを備えたことを特徴とする光ディスク再生装置を提供
する。
【００１１】
この構成において、再生中に停止キーが押下されると、この停止キーの押下が停止キー
押下検出手段により検出され、リジューム機能オン手段によりリジューム機能がオンされ
、更に、リジュームオン表示手段により、リジュームオン表示がディスプレイ装置に表示
される。そして、前記リジュームオン表示がされてから所定時間経過してリジュームオン
表示が消えたか否かがリジュームオン表示判定手段により判定され、リジュームオン表示
が消えた時は、リジューム用発光素子が、発光素子駆動手段により点灯される。
【００１２】
この後、再生キーが押下されれば、リジューム再生が開始されるが、再生キー以外のキ
ーが押下されると、再生キー以外のキーの押下回数が１回目であるか否かがキー押下回数
判定手段により判定され、再生キー以外のキーの押下回数が１回目であれば、キー操作無
視手段により、現在リジューム中であることがディスプレイ装置に警告表示されると共に
、この１回目のキー押下が無視される。これにより、この時点で、再生キー以外のキーを
１回押下しても装置側は何れの動作も行われることがない。しかし、この時点で、再生キ
ー以外のキーを２回以上押下すると、押下されたキーに対応する通常の動作が通常キー動
作手段により行われる。
【００１３】
また、前記システムコントローラに前記発光素子駆動手段の代わりに発光素子点滅駆動
手段が有している場合は、ディスプレイ装置上のリジュームオン表示が消えた後、所定時
間経過していなく電源がオフしていない時、発光素子点滅駆動手段は、電源オン／オフ表
示用発光素子は、発光素子点滅駆動手段により、電源オン時の発光色で点滅される。一方
、所定時間経過して電源がオフしている時は、電源オン／オフ表示用発光素子は、発光素
子点滅駆動手段により、電源オフ時の発光色で点滅される。
【００１４】
この構成によれば、リジュームオン表示が消えても、リジューム用発光素子の点灯また
は電源オン／オフ表示用発光素子の点滅により、現在リジューム状態であるかどうかを明
確にできるので、リジューム状態のまま放置した場合、現在リジューム状態であるかどう
かが分らなくなるようなことが回避でき、また、リジューム再生する際に、当ユーザが再
生キー以外のキーを操作してしまったり、当ユーザ以外の別のユーザや他人が勝手に再生
キー以外のキーを操作してしまったりした場合でも、リジューム中であることを示す警告
表示を行うと共に、再生キー以外のキーの１回目の押下が無視されるので、現在のリジュ
ーム状態が無くなることを防止でき、リジューム機能を有効に活用できる。
【００１５】
請求項２の発明は、光ディスクの情報を再生中に停止させ、再び再生させた時に、その
停止位置から再生を開始させるリジューム機能を有する光ディスク再生装置において、リ
ジューム機能をオンさせた時、前記リジューム機能オンを示すリジュームオン表示をディ
スプレイ装置に表示させ、前記リジュームオン表示が所定時間経過して消えた時にリジュ
ーム用発光素子を発光駆動させ、前記リジュームオン表示されている時あるいは前記リジ
ューム用発光素子が発光駆動されている時に、再生キー以外のキーの押下が１回目であれ
ば、１回目のキー押下を無視する制御を行うシステムコントローラを備えたことを特徴と
する光ディスク再生装置を提供する。
【００１６】
この構成において、リジューム機能をオンさせた時、リジュームオン表示がディスプレ
イ装置に表示され、リジュームオン表示が所定時間経過して消えた時には、リジューム用
発光素子が発光駆動され、前記リジュームオン表示されている時あるいは前記リジューム
用発光素子が発光駆動されている時に、再生キー以外のキーの押下が１回目であれば、１
回目のキー押下が無視され、再生キー以外のキーの押下回数が２回目以上であれば、押下
されたキーの通常動作が行われる。
【００１７】
この構成によれば、リジュームオン表示が消えても、リジューム用発光素子の点灯によ
り、現在リジューム状態であるかどうかを明確にできるので、リジューム状態のまま放置
した場合に、現在リジューム状態であるのかどうかが分らなくなるようなことが回避でき
、また、リジューム再生する際に当ユーザが再生キー以外のキーを操作してしまったり、
当ユーザ以外の別のユーザや他人が勝手に再生キー以外のキーを操作してしまったりした
場合でも、再生キー以外のキーの１回目の押下が無視されるので、現在のリジューム状態
が無くなることを防止でき、リジューム機能を有効に活用できる。
【００１８】
請求項３の発明では、請求項２の発明において、前記システムコントローラは、光ディ
スクの情報を再生中に停止キーが押下されたか否かを検出する停止キー押下検出手段と、
前記停止キーが押下されたことを前記停止キー押下検出手段により検出された時にリジュ
ーム機能をオンさせるリジューム機能オン手段と、前記リジューム機能がオンされた時に
リジューム機能オンを示すリジュームオン表示をディスプレイ装置に表示させるリジュー
ムオン表示手段と、前記リジュームオン表示が所定時間経過して消えたか否かを判定する
リジュームオン表示判定手段と、前記リジュームオン表示が消えたということが前記リジ
ュームオン表示判定手段により判定された時にリジューム用発光素子を発光駆動させる発
光素子駆動手段と、前記リジュームオン表示されている時あるいは前記リジューム用発光
素子が発光駆動されている時に再生キー以外のキーを押下すると、そのキーの押下は１回
目であるか２回目以上であるかを判定するキー押下回数判定手段と、前記キーの押下回数
が１回目であれば、リジューム中であることをディスプレイ装置に警告表示させると共に
１回目のキー押下を無視するキー操作無視手段と、再生キー以外のキーの押下回数が２回
目以上であれば、押下されたキーの通常動作を行わせる通常キー動作手段と有する。
【００１９】
したがって、前記システムコントローラは、停止キー押下検出処理、リジューム機能オ
ン処理、リジュームオン表示処理、リジュームオン表示判定処理、発光素子駆動処理、キ
ー押下回数判定処理、キー操作無視処理、および通常キー動作処理を実現でき、これによ
り、リジュームオン表示が消えても、リジューム用発光素子を点灯させることができ、ま
た、リジューム再生する際に、間違って再生キー以外のキーを操作してしまった場合でも
、リジューム中であることを示す警告表示を行うことができると共に、再生キー以外のキ
ーの１回目の押下を無視させることができる。
【００２０】
請求項４の発明では、請求項３の発明において、前記システムコントローラは、前記リ
ジューム用発光素子として、装置の電源オン／オフ表示用発光素子を用いた場合は、電源
がオン時には前記電源オン／オフ表示用発光素子を電源オン時の発光色で点滅駆動させ、
電源がオフ時には前記電源オン／オフ表示用発光素子を電源オフ時の発光色で点滅駆動さ
せる発光素子点滅駆動手段を前記発光素子駆動手段の代わりに有する。
【００２１】
したがって、前記システムコントローラは、発光素子点滅駆動処理を実現でき、これに
より、電源がオン時には電源オン／オフ表示用発光素子を電源オン時の発光色で点滅駆動
させることができ、電源がオフ時には電源オン／オフ表示用発光素子を電源オフ時の発光
色で点滅駆動させることができる。
【発明の効果】
【００２２】
以上のように本発明によれば、光ディスクの情報を再生中に停止させ、再び再生させた
時に、その停止位置から再生を開始させるリジューム機能を有する光ディスク再生装置に
おいて、光ディスクの情報を再生中に停止キーが押下されたか否かを検出する停止キー押
下検出手段と、前記停止キーが押下されたことを前記停止キー押下検出手段により検出さ
れた時にリジューム機能をオンさせるリジューム機能オン手段と、前記リジューム機能が
オンされた時にリジューム機能オンを示すリジュームオン表示をディスプレイ装置に表示
させるリジュームオン表示手段と、前記リジュームオン表示が所定時間経過して消えたか
否かを判定するリジュームオン表示判定手段と、前記リジュームオン表示が消えたという
ことが前記リジュームオン表示判定手段により判定された時にリジューム用発光素子を発
光駆動させる発光素子駆動手段と、前記リジュームオン表示されている時あるいは前記リ
ジューム用発光素子が発光駆動されている時に再生キー以外のキーを押下すると、そのキ
ーの押下は１回目であるか２回目以上であるかを判定するキー押下回数判定手段と、前記
キーの押下回数が１回目であれば、リジューム中であることをディスプレイ装置に警告表
示させると共に１回目のキー押下を無視するキー操作無視手段と、再生キー以外のキーの
押下回数が２回目以上であれば、押下されたキーの通常動作を行わせる通常キー動作手段
と有し、前記リジューム用発光素子として、装置の電源オン／オフ表示用発光素子を用い
た場合は、電源がオン時には前記電源オン／オフ表示用発光素子を電源オン時の発光色で
点滅駆動させ、電源がオフ時には前記電源オン／オフ表示用発光素子を電源オフ時の発光
色で点滅駆動させる発光素子点滅駆動手段を前記発光素子駆動手段の代わりに有するシス
テムコントローラを備えたので、リジュームオン表示が消えても、リジューム用発光素子
の点灯または電源オン／オフ表示用発光素子の点滅により、現在リジューム状態であるか
どうかを明確にでき、これにより、リジューム状態のまま放置した場合、現在リジューム
状態であるのかどうかが分らなくなるようなことが回避でき、また、リジューム再生する
際に当ユーザが再生キー以外のキーを操作してしまったり、当ユーザ以外の別のユーザや
他人が勝手に再生キー以外のキーを操作してしまったりした場合でも、リジューム中であ
ることを示す警告表示を行うと共に、再生キー以外のキーの１回目の押下を無視すること
ができ、これにより、現在のリジューム状態が無くなることを防止でき、リジューム機能
を有効に活用できる。
【００２３】
また、本発明によれば、光ディスクの情報を再生中に停止させ、再び再生させた時に、
その停止位置から再生を開始させるリジューム機能を有する光ディスク再生装置において
、リジューム機能をオンさせた時、前記リジューム機能オンを示すリジュームオン表示を
ディスプレイ装置に表示させ、前記リジュームオン表示が所定時間経過して消えた時にリ
ジューム用発光素子を発光駆動させ、前記リジュームオン表示されている時あるいは前記
リジューム用発光素子が発光駆動されている時に、再生キー以外のキーの押下が１回目で
あれば、１回目のキー押下を無視する制御を行うシステムコントローラを備えたので、リ
ジュームオン表示が消えても、リジューム用発光素子の点灯により、現在リジューム状態
であるかどうかを明確にでき、これにより、リジューム状態のまま放置した場合、現在リ
ジューム状態であるのかどうかが分らなくなるようなことが回避でき、また、リジューム
再生する際に当ユーザが再生キー以外のキーを操作してしまったり、当ユーザ以外の別の
ユーザや他人が勝手に再生キー以外のキーを操作してしまったりした場合でも、再生キー
以外のキーの１回目の押下を無視でき、これにより、現在のリジューム状態が無くなるこ
とを防止でき、リジューム機能を有効に活用できる。
【発明を実施するための最良の形態】
【００２４】
以下、添付図面を参照しつつ、本発明の実施の形態について説明する。図１は本発明の
一実施形態に係る光ディスク再生装置の構成を示すブロック図である。
【００２５】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２６】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２７】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２８】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２９】
また、この光ディスク再生装置は、装置全体を制御するシステムコントローラ２２と、
このシステムコントローラ２２に対して、再生指示を与えるための再生キー２１ａ、再生
停止を指示するための停止キー２１ｂ、電源キー２１ｃなどの各種操作キーを有するリモ
コン２１と、装置の各構成要素を制御したり、装置全体を制御したりするためのプログラ
ムやデータが記憶されたフラッシュＲＯＭ２３と、このフラッシュＲＯＭ２３のプログラ
ムやデータに従って演算処理を行いシステムコントローラ２２を制御するＣＰＵ２４と、
このＣＰＵ２４の演算処理に必要なデータを一時的に格納するＲＡＭ２５とを備えている
。
【００３０】
システムコントローラ２２は、本実施形態の特徴とする構成要素として、光ディスク１
の情報を再生中に停止キーが押下されたか否かを検出する停止キー押下検出手段２２１と
、停止キーが押下されたことを停止キー押下検出手段２２１により検出された時にリジュ
ーム機能をオンさせるリジューム機能オン手段２２２と、前記リジューム機能がオンされ
た時にリジューム機能オンを示すリジュームオン表示をディスプレイ装置２０に表示させ
るリジュームオン表示手段２２３と、前記リジュームオン表示が所定時間経過して消えた
か否かを判定するリジュームオン表示判定手段２２４と、前記リジュームオン表示が消え
たということがリジュームオン表示判定手段２２４により判定された時にリジューム用発
光素子としてのリジューム用ＬＥＤ２７をＬＥＤ駆動回路２６を介して発光駆動させる発
光素子駆動手段２２５とを有する。
【００３１】
また、システムコントローラ２２は、前記リジュームオン表示されている時、あるいは
前記リジューム用ＬＥＤ２７が発光駆動されている時に、再生キー以外のキーを押下する
と、そのキーの押下は１回目であるか２回目以上であるかを判定するキー押下回数判定手
段２２６と、前記キーの押下回数が１回目であれば、リジューム中であることをディスプ
レイ装置２０に警告表示させると共に１回目のキー押下を無視するキー操作無視手段２２
７と、再生キー以外のキーの押下回数が２回目以上であれば、押下されたキーの通常動作
を行わせる通常キー動作手段２２８と有する。
【００３２】
また、システムコントローラ２２においては、前記リジューム用発光素子として、装置
の電源オン／オフ表示用ＬＥＤ２８を用いた場合は、電源がオン時には、電源オン／オフ
表示用ＬＥＤ２８を、ＬＥＤ駆動回路２６を介して電源オン時の発光色で点滅駆動させ、
電源がオフ時には、電源オン／オフ表示用ＬＥＤ２８を、ＬＥＤ駆動回路２６を介して電
源オフ時の発光色で点滅駆動させる発光素子点滅駆動手段２２９を、前記発光素子駆動手
段２２５の代わりに設けても良い。この電源オン／オフ表示用ＬＥＤ２８を用いれば、リ
ジューム用ＬＥＤ２７を新たに設ける必要がない。
【００３３】
図２は本実施形態における光ディスク再生装置の操作パネルの簡略化した正面図である
。図２において、操作パネルＡには、電源をオン／オフする電源キー２９と、電源がオン
されている時は例えば緑色を発光すると共に電源がオフされて待機状態になっている時は
例えば赤色を発光する電源オン／オフ表示用ＬＥＤ２８と、ディスプレイ装置２０（図１
参照）上のリジュームオン表示が消えた時に点灯するリジューム用ＬＥＤ２７とが設けら
れている。また、操作パネルＡには、光ディスクを挿入／排出するトレイ３０、タイトル
や再生時間などを表示する表示部３１、スキップダウンキー３２、スキップアップキー３
３、再生キー３４、および停止キー３５が設けられている。
【００３４】
図３は本実施形態においてリジューム機能に関連する処理を説明するためのフローチャ
ートである。このフローチャートおよび図１、図２を参照してリジューム機能に関連する
処理について説明する。
【００３５】
先ず、リモコン２１の電源キー２１ｃまたは操作パネルＡの電源キー２９を押下して電
源がオンされ（ステップＳ１）、例えばリモコン２１の図示しないトレイ開閉キーを押下
してトレイ３０を開き、このトレイ３０に光ディスク１を載置した後、リモコン２１のト
レイ開閉キーを再び押下してトレイ３０を閉じることによって、光ディスク１がこの光デ
ィスク再生装置に挿入されることになる（ステップＳ２）。そして、リモコン２１の再生
キー２１ａまたは操作パネルＡの再生キー３４が押下されると（ステップＳ３）、光ディ
スク１に記録された情報の再生が開始される（ステップＳ４）。
【００３６】
ここで、再生が終了していない状態（ステップＳ５）である、即ち再生中に、リモコン
２１の停止キー２１ｂまたは操作パネルＡの停止キー３５が押下されると（ステップＳ６
）、システムコントローラ２２の停止キー押下検出手段２２１は、再生中に停止キー２１
または停止キー３５が押下されたことを検出し、これにより、リジューム機能オン手段２
２２は装置のリジューム機能をオンし（ステップＳ７）、更に、リジュームオン表示手段
２２３は、リジューム機能がオンされていることを示すリジュームオン表示をディスプレ
イ装置２０に表示する（ステップＳ８）。
【００３７】
そして、リジュームオン表示判定手段２２４は、前記リジュームオン表示がされてから
所定時間経過してリジュームオン表示が消えたか否かを判定し（ステップＳ９）、リジュ
ームオン表示が消えた時は、発光素子駆動手段２２５は、ＬＥＤ駆動回路２６を介してリ
ジューム用ＬＥＤ２７を駆動させ点灯させる（ステップＳ１０）。
【００３８】
この後、電源がオフしていない状態の時（ステップＳ１１）、または、省電力化を図る
ため所定時間経過して電源がオフしている時（ステップＳ１１）に、リモコン２１の電源
キー２１ｃまたは操作パネルＡの電源キー２９を押下することによって、装置の電源がオ
ンされた（ステップＳ１２）後、リジューム再生を行うため、リモコン２１の再生キー２
１ａまたは操作パネルＡの再生キー３４が押下されると（ステップＳ１３）、リジューム
用ＬＥＤ２７が消灯され（ステップＳ１４）、リジューム再生が開始される（ステップＳ
１５）。
【００３９】
ところが、リジューム用ＬＥＤ２７が点灯され（ステップＳ１０）、電源がオフしてい
ない状態の時（ステップＳ１１）、または、省電力化を図るため所定時間経過して電源が
オフしている時（ステップＳ１１）に、リモコン２１の電源キー２１ｃまたは操作パネル
Ａの電源キー２９を押下することによって、装置の電源がオンされた（ステップＳ１２）
後、あるいはリジュームオン表示が消えていない時（ステップＳ９）に、再生キー以外の
キーが押下されると（ステップＳ１６）、システムコントローラ２２のキー押下回数判定
手段２２６は、再生キー以外のキーの押下回数が１回目であるか否かを判定する（ステッ
プＳ１７）。
【００４０】
そして、再生キー以外のキーの押下回数が１回目であれば、キー操作無視手段２２７は
、現在リジューム中であることをディスプレイ装置２０に警告表示させる（ステップＳ１
８）と共に、この１回目のキー押下を無視する処理を行う（ステップＳ１９）。これによ
り、この時点で、再生キー以外のキーを１回押下しても装置側は何れの動作も行われるこ
とがない。しかし、この時点で、再生キー以外のキーを２回以上押下すると、通常キー動
作手段２２８は、押下されたキーに対応する通常の動作を行う（ステップＳ２０）。
【００４１】
図４は本実施形態においてリジューム用発光素子として電源オン／オフ表示用ＬＥＤ２
８を用いた場合の発光色の点滅切換処理の部分を説明するためのフローチャートである。
このフローチャートおよび図１、図２、図４を参照して、リジューム用発光素子として電
源オン／オフ表示用ＬＥＤ２８を用いた場合の発光色の点滅切換処理の部分について説明
する。なお、図４において、図３に示すフローチャートの処理に相当するものには同一の
ステップ番号を付している。
【００４２】
図４において、ディスプレイ装置２０上のリジュームオン表示が消えた後（ステップＳ
９）、所定時間経過していなく電源がオフしていない時（ステップＳ１１）、システムコ
ントローラ２２の発光素子点滅駆動手段２２９は、ＬＥＤ駆動回路２６を駆動させ、電源
オン／オフ表示用ＬＥＤ２８を電源オン時の発光色（例えば緑色）で点滅させる（ステッ
プＮ２）。この後は、ステップＳ１３の再生キーが押下されたか否かの判定処理に移る。
【００４３】
一方、ディスプレイ装置２０上のリジュームオン表示が消えた後（ステップＳ９）、所
定時間経過して電源がオフしている時（ステップＳ１１）、システムコントローラ２２の
発光素子点滅駆動手段２２９は、ＬＥＤ駆動回路２６を駆動させ、電源オン／オフ表示用
ＬＥＤ２８を電源オフ時の発光色（例えば赤色）で点滅させる（ステップＮ３）。そして
、装置に電源を入れるため、リモコン２１の電源キー２１ｃまたは操作パネルＡの電源キ
ー２７が押下された（ステップＮ４）後は、ステップＳ１３の再生キーが押下されたか否
かの判定処理に移る。
【００４４】
以上説明したように本実施形態によれば、リジュームオン表示が消えても、リジューム
用ＬＥＤ２７の点灯、または電源オン／オフ表示用ＬＥＤ２８の点滅により、現在リジュ
ーム状態であるかどうかを明確にできるので、リジューム状態のまま放置した場合、現在
リジューム状態であるかどうかが分らなくなるようなことが回避でき、また、リジューム
再生する際に、当ユーザが再生キー以外のキーを操作してしまったり、当ユーザ以外の別
のユーザや他人が勝手に再生キー以外のキーを操作してしまったりした場合でも、リジュ
ーム中であることを示す警告表示を行うと共に、再生キー以外のキーの１回目の押下が無
視されるので、現在のリジューム状態が無くなることを防止でき、リジューム機能を有効
に活用できる。
【図面の簡単な説明】
【００４５】
【図１】本発明の一実施形態に係る光ディスク再生装置の構成を示すブロック図である。
【図２】前記実施形態における光ディスク再生装置の操作パネルの簡略化した正面図である。
【図３】前記実施形態においてリジューム機能に関連する処理を説明するためのフローチャートである。
【図４】前記実施形態においてリジューム用発光素子として電源オン／オフ表示用ＬＥＤを用いた場合の発光色の点滅切換処理の部分を説明するためのフローチャートである。
【符号の説明】
【００４６】
１    光ディスク
２０    ディスプレイ装置
２１ａ    リモコンの再生キー
２１ｂ    リモコンの停止キー
２２    システムコントローラ
２７    リジューム用ＬＥＤ（リジューム用発光素子）
２８    電源オン／オフ表示用ＬＥＤ（電源オン／オフ表示用発光素子）
３４    操作パネルの再生キー
３５    操作パネルの停止キー
２２１    停止キー押下検出手段
２２２    リジューム機能オン手段
２２３    リジュームオン表示手段
２２４    リジュームオン表示判定手段
２２５    発光素子駆動手段
２２６    キー押下回数判定手段
２２７    キー操作無視手段
２２８    通常キー動作手段
２２９    発光素子点滅駆動手段
【図１】
2006318596.tif 000003
【図２】
2006318596.tif 000004
【図３】
2006318596.tif 000005
【図４】
2006318596.tif 000006